(57)【特許請求の範囲】
【請求項１】
車両の内壁を構成するパネルに設けられた開口部から、前記パネルと乗員との間に膨張して展開するエアバッグと、
長辺及び短辺を備えた長方形の底面、略四角枠形状の側壁面、及び、前記底面と前記側壁面とを接続する横断面曲線状の曲面部、を備えた本体部を有し、折り畳まれた前記エアバッグを収納するリテーナと、
前記リテーナを前記車両に取り付けた状態における車両左右方向の前記側壁面から延びて、前記パネルに固定されるアーム部材と、
前記本体部の前記底面に取り付けられ、前記エアバッグにガスを供給する略円盤形のガス発生器と、
前記パネルの前記開口部の外周部に上端部が取り付けられ、前記折り畳まれた前記エアバッグの側方を覆うように配置される支持部材と
を有し、
前記リテーナは、
前記リテーナを前記車両に取り付けた状態における車両前後方向の前記側壁面に設けられ、前記支持部材に設けた貫通孔に貫通して前記本体部を前記支持部材に係合させる爪部材を備えており、
前記本体部と前記爪部材とが、押し出し成形により略同一厚さで一体に構成され、
前記爪部材は、
複数個が配置されており、
各爪部材には、
複数個のリブを１組として構成されるリブ組からなる、第１リブ部が備えられており、
前記爪部材の前記第１リブ部は、
当該爪部材の突出する方向に沿って延びており、
前記本体部は、
前記略四角枠形状の前記側壁面の全周にわたり、同一の高さ方向寸法を備え、かつ、
前記爪部材の前記第１リブ部と連続するようにして前記曲面部の上端に向かって延びるように前記側壁部に形成された第２リブ部と、
前記略四角枠形状の前記側壁面の全周の上端部に、端部側へ拡がる形状のフランジ部と、
を備えている助手席用エアバッグ装置であって、
せん断加工により形成された板金を絞り加工することにより、前記底面、前記側壁面、前記第１リブ、及び前記第２リブを形成した後、トリム加工及び曲げ加工を行うことにより、前記フランジ部及び前記爪部材を形成し、さらにその後、穴開け加工により、前記略円盤形のガス発生器の上部を挿入する開口部を前記本体部の下面の中央に形成すると共に、前記ガス発生器を取り付けるための複数のボルト穴を前記開口部の周囲に形成した
ことを特徴とする助手席用エアバッグ装置。
【発明の詳細な説明】
【技術分野】
【０００１】
本発明は、自動車などの車両に備えられる助手席用エアバッグ装置に関する。
【背景技術】
【０００２】
従来より、緊急時にガス発生器が作動し、パネルに設けられたエアバッグを膨張させ、助手席側の乗員を拘束する助手席用エアバッグ装置が知られている（例えば、特許文献１参照）。
【０００３】
この助手席用エアバッグ装置は、ガス発生器（インフレータ）からのガスにより膨張するエアバッグを備えており、通常時にはこのエアバッグがリテーナ（ケース）に折り畳まれて収納されている。そして自動車の衝突、横転などの緊急時にガス発生器が作動してガスを噴出すると、そのガスがエアバッグの内部に供給され、その圧力によりエアバッグが膨張して展開する。
【０００４】
また、この助手席用エアバッグ装置では、リテーナに、爪部材（フック）を設けている。この爪部材により、リテーナと、当該リテーナに折り畳まれて収納されたエアバッグの側方を覆うように配置される支持部材（脚状片部）とを連結している。
【先行技術文献】
【特許文献】
【０００５】
【特許文献１】特開２００７−２４５８７６号公報
【発明の概要】
【発明が解決しようとする課題】
【０００６】
上記従来技術においては、リテーナに設けられた爪部材が、支持部材に設けられた貫通孔（フック孔）に係合することにより、当該リテーナと支持部材とが連結された、エアバッグ装置の基本構成が開示されている。
【０００７】
このような構成であるエアバッグ装置の最適化を図る上では、リテーナの軽量化を追及することが要求される。
【０００８】
本発明の目的は、リテーナの軽量化を図ることができる助手席用エアバッグ装置を提供することにある。
【課題を解決するための手段】
【０００９】
上記目的を達成するために、第１発明の助手席用エアバッグ装置は、車両の内壁を構成するパネルに設けられた開口部から、前記パネルと乗員との間に膨張して展開するエアバッグと、長辺及び短辺を備えた長方形の底面、略四角枠形状の側壁面、及び、前記底面と前記側壁面とを接続する横断面曲線状の曲面部、を備えた本体部を有し、折り畳まれた前記エアバッグを収納するリテーナと、前記リテーナを前記車両に取り付けた状態における車両左右方向の前記側壁面から延びて、前記パネルに固定されるアーム部材と、前記本体部の前記底面に取り付けられ、前記エアバッグにガスを供給する略円盤形のガス発生器と、前記パネルの前記開口部の外周部に上端部が取り付けられ、前記折り畳まれた前記エアバッグの側方を覆うように配置される支持部材とを有し、前記リテーナは、前記リテーナを前記車両に取り付けた状態における車両前後方向の前記側壁面に設けられ、前記支持部材に設けた貫通孔に貫通して前記本体部を前記支持部材に係合させる爪部材を備えており、前記本体部と前記爪部材とが、押し出し成形により略同一厚さで一体に構成され、前記爪部材は、複数個が配置されており、各爪部材には、複数個のリブを１組として構成されるリブ組からなる、第１リブ部が備えられており、前記爪部材の前記第１リブ部は、当該爪部材の突出する方向に沿って延びており、前記本体部は、前記略四角枠形状の前記側壁面の全周にわたり、同一の高さ方向寸法を備え、かつ、前記爪部材の前記第１リブ部と連続するようにして前記曲面部の上端に向かって延びるように前記側壁部に形成された第２リブ部と、前記略四角枠形状の前記側壁面の全周の上端部に、端部側へ拡がる形状のフランジ部と、を備えている助手席用エアバッグ装置であって、せん断加工により形成された板金を絞り加工することにより、前記底面、前記側壁面、前記第１リブ、及び前記第２リブを形成した後、トリム加工及び曲げ加工を行うことにより、前記フランジ部及び前記爪部材を形成し、さらにその後、穴開け加工により、前記略円盤形のガス発生器の上部を挿入する開口部を前記本体部の下面の中央に形成すると共に、前記ガス発生器を取り付けるための複数のボルト穴を前記開口部の周囲に形成したことを特徴とする。
【００１０】
本願第１発明においては、折り畳まれた状態の助手席側のエアバッグを収納したリテーナが、車両のパネル内部に収納されている。リテーナは、長辺及び短辺を備えた長方形の底面と略四角枠形状の側壁面とを備えた本体部と、当該本体部を支持部材に係合させるための爪部材とを備えている。このとき、これら本体部及び爪部材は、例えば一枚の板金を用いた一連の押し出し成形により略同一の厚さで一体に構成されている。これにより、溶接によって複数の別部材を連結して本体部を形成したり、本体部に別部材を連結して爪部材を形成したりする場合に比べ、リテーナの軽量化を図ることができる。また、連結のための溶接が不要となるので、リテーナの強度を高めるとともに、製造工程の簡素化やコストの削減をも図ることができる。また、爪部材に第１リブ部を設けることにより、爪部材の強度を高めることができる。この結果、上記ように一体成形とした場合でも、爪部材の強度が不足しないようにすることができる。また、本体部及び爪部材を同一の厚さとすることにより、リテーナ全体での剛性の偏りを減少させることができ、リテーナの強度を高めることができる。
【００１１】
さらに、エアバッグが膨張して展開する時においては、膨張したエアバッグが本体部を内部から外部へ向って押し広げようとする応力が働くことで、本体部の開口変形（いわゆるフィッシュマウス）を起こす可能性がある。特に本体部の高さ方向寸法が大きい程、上記応力の影響を受けやすく、上記フィッシュマウスを起こしやすい傾向にある。
【００１２】
本願第１発明においては、本体部及び爪部材を略同一の厚さで一体に構成することにより、上述したようにリテーナの強度を高めるとともに、さらにエアバッグが膨張して展開する時における上記応力を分散させることができる。この結果、上記フィッシュマウスを軽減することができる。また、上述した押し出し成形の手法を用いることにより、本体部の高さ方向寸法が小さくなるように本体部を成形可能である。したがって、エアバッグ展開時の上記フィッシュマウスをさらに軽減することができる。これらの結果、膨張して展開したエアバッグを新たなエアバッグに交換する際に、膨張して展開したエアバッグを備えるリテーナが、パネル内部から取り出しにくくなる、又は、パネル内部から取り出せずパネルごと交換しなければならなくなる、といった問題を回避し、工数を軽減することができる。
【００１３】
第２発明の助手席用エアバッグ装置は、上記第１の発明において、前記本体部は、前記略四角枠形状の前記側壁面の全周の上端部に、端部側へ拡がる形状のフランジ部を備えることを特徴とする。
【００１４】
本願第２発明においては、押し出し成形により一体に構成される本体部の側壁面にフランジ部を設けることにより、本体部の上部開口の全周に連続するようにフランジ部を設けることができる。
【００１５】
第３発明の助手席用エアバッグ装置は、上記第１又は第２の発明において、前記爪部材の前記第１リブ部は、当該爪部材の突出する方向に沿って延びており、前記本体部は、前記爪部材の前記第１リブ部と連続するように形成された第２リブ部を備えることを特徴とする。
【００１６】
本願第３発明においては、爪部材の第１リブ部と連続するように、本体部が第２リブ部を備えている。このように、長い寸法の一体構造のリブを設けることにより、リテーナの強度をさらに高めることができる。
【００１７】
第４発明の助手席用エアバッグ装置は、上記第１乃至第３の発明のいずれかにおいて、前記本体部は、前記略四角枠形状の前記側壁面の全周にわたり、同一の高さ方向寸法を備えることを特徴とする。
【００１８】
本願第４発明においては、本体部が備える側壁面の全周にわたり、高さ方向寸法を同一とすることにより、本体部の剛性の偏りを減少させることができる。この結果、リテーナの強度を高めることができる。
【発明の効果】
【００１９】
本発明によれば、リテーナの軽量化を図ることができる。
【図面の簡単な説明】
【００２０】
【図１】本発明の一実施の形態の助手席用エアバッグ装置の概略構造を示す側断面図である。
【図２】助手席用エアバッグ装置の外観を表す上面図及び下面図である。
【図３】図２（ａ）中Ａ方向から見た矢視図、及び、図２（ａ）中Ｂ方向から見た矢視図である。
【図４】助手席用エアバッグ装置の分解斜視図である。
【図５】リテーナの本体部の上面図及び下面図である。
【図６】図５（ａ）中Ｃ方向から見た矢視図、及び、図５（ａ）中Ｄ方向から見た矢視図である。
【図７】図５（ａ）中ＶＩＩＡ−ＶＩＩＡ断面による横断面図、及び、図５（ａ）中ＶＩＩＢ−ＶＩＩＢ断面による横断面図を９０°回転させて示す図である。
【図８】図６（ａ）中ＶＩＩＩＡ−ＶＩＩＩＡ断面による横断面図、及び、図６（ａ）中ＶＩＩＩＢ−ＶＩＩＩＢ断面による横断面図である。
【図９】リテーナの押し出し成形の手法による製造工程の一例を模式的に表す説明図である。
【図１０】リテーナの押し出し成形の手法による製造工程の一例を模式的に表す説明図である。
【発明を実施するための形態】
【００２１】
以下、本発明の一実施の形態を、図面を参照しつつ説明する。なお、以下の説明において、車両前後方向及び車両左右方向とは、車両の助手席に着座した乗員から見た車両の前後方向及び左右方向をいう。また、空間内の方向を示す語句として、車両の助手席に着座した乗員から見た前後方向、上下方向、左右方向をそのまま用いる。
【００２２】
図１は、インストルメントパネルの内部に設置した状態での本実施形態の助手席用エアバッグ装置の概略構造を示す側断面図である。図１（ａ）には、エアバッグが膨張して展開していない通常の状態を示し、図１（ｂ）には、エアバッグが膨張して展開する途中の状態を示している。また、図２及び図３は、助手席用エアバッグ装置の外観構成を表す図である。図２（ａ）は、助手席用エアバッグ装置を上方から見た外観図であり、図２（ｂ）は、助手席用エアバッグ装置を下方から見た外観図であり、図３（ａ）は、助手席用エアバッグ装置を前方から見た外観図であり、図３（ｂ）は、助手席用エアバッグ装置を右方から見た外観図である。
【００２３】
これら図１（ａ）、図１（ｂ）、図２（ａ）、図２（ｂ）、図３（ａ）、及び図３（ｂ）において、助手席Ｓに着座している乗員Ｍの前方（図１中右方）には、車両の内壁を構成するインストルメントパネル１０が配置されている。本実施形態の助手席用エアバッグ装置１２は、このインストルメントパネル１０の内部に設置される。助手席用エアバッグ装置１２は、エアバッグ１４と、リテーナ１６と、複数のアーム部材１８と、略円盤形のインフレータ２０（ガス発生器）と、支持部材２２とを有している。
【００２４】
エアバッグ１４は、上記インストルメントパネル１０に設けられた開口部１０ａから膨張しつつ出現し、インストルメントパネル１０と乗員Ｍとの間に膨張して展開する。
【００２５】
リテーナ１６は、折り畳まれた状態の上記エアバッグ１４を収納する。このリテーナ１６は、本体部２６と、複数の鉤型のフック２８（爪部材）とを備えている。本体部２６は、略四角形の底面２６ａ及び略四角枠形状の側壁面２６ｂを備えており、当該底面２６ａの対面側には開口３０（後述の図４等参照）が設けられている。フック２８は、リテーナ１６を車両へ取り付けた状態における、上記本体部２６の上記車両前後方向にそれぞれ設けられている。フック２８は、支持部材２２に設けられた後述のフック孔２４に貫通して係止することにより、リテーナ１６を支持部材２２に係合させる。
【００２６】
アーム部材１８は、リテーナ１６を車両へ取り付けた状態における上記車両左右方向の側壁面２６ｂ，２６ｂから延びるように、各側壁面２６ｂに例えば溶接等により取り付けられている。このアーム部材１８をインストルメントパネル１０の内部の図示しないアーム部材取り付け部に取り付けることにより、リテーナ１６をインストルメントパネル１０に固定することができる。なお、図１（ａ）及び図１（ｂ）では、アーム部材１８の図示を省略して示している。
【００２７】
インフレータ２０は、上記本体部２６の上記底面２６ａに形成された開口部３２（後述の図５等参照）に取り付けられ、上記エアバッグ１４にガスを供給する。
【００２８】
支持部材２２は、インストルメントパネル１０の上記開口部１０ａの外周部に、上端部が取り付けられている。この支持部材２２は、上記折り畳まれた状態のエアバッグ１４の側方を覆うように配置されている。なお、図３（ａ）及び図３（ｂ）に示すように、本実施形態では、支持部材２２は後述の蓋部材３４の裏面から本体部２６の外周を取り囲む囲枠状である。この支持部材２２には、上記フック２８と重なる部分に、当該フック２８を貫通させるためのフック孔２４（貫通孔）がそれぞれ設けられている。
【００２９】
また、上記開口部１０ａには、通常時（図１（ａ）に示す状態）において当該開口部１０ａを閉塞する蓋部材３４が設けられている。インフレータ２０の作動時（図１（ｂ）に示す状態）には、蓋部材３４と開口部１０ａとの間に形成された破断開裂可能なティアライン（図示せず）が開裂して蓋部材３４が回動し、（図１（ｂ）に示す例では乗員Ｍ側が開放されて）エアバッグ１４が乗員Ｍ側へ膨張して出現する。
【００３０】
このように構成された助手席用エアバッグ装置１２にあっては、通常時においては、図１（ａ）に示すように、エアバッグ１４は折り畳まれてリテーナ１６の内部に収納されている。そして、車両の衝突時等の緊急時には、インフレータ２０が図示しない制御装置から制御信号を入力されて作動することにより、内部の発火剤が点火してガスを噴出し、これにより内部圧力が上昇して折り畳み状態であったエアバッグ１４が膨張し展開する動作を開始する。そして、図１（ｂ）に示すように、エアバッグ１４は、その膨張力により上記ティアラインを開裂させて蓋部材３４を開放させ、リテーナ１６及びインストルメントパネル１０の外部へ膨出し、助手席Ｓに着座している乗員Ｍへ向けて膨張して展開する。これにより、膨張して展開したエアバッグ１４が、乗員Ｍの上半身を拘束する。
【００３１】
図４は、助手席用エアバッグ装置１２の部品展開図である。また、図５〜図８は、リテーナ１６の詳細構造を説明する図である。図５（ａ）は、リテーナ１６を上方から見た外観図であり、図５（ｂ）は、リテーナ１６を下方から見た外観図であり、図６（ａ）は、リテーナ１６を前方から見た外観図であり、図６（ｂ）は、リテーナ１６を右方から見た外観図である。図７（ａ）は、図５（ａ）中のＶＩＩＡ−ＶＩＩＡ断面による横断面図であり、図７（ｂ）は、図５（ａ）中のＶＩＩＢ−ＶＩＩＢ断面による横断面図を９０°回転させて示す図である。図８（ａ）は、図６（ａ）中のＶＩＩＩＡ−ＶＩＩＩＡ断面による横断面図であり、図８（ｂ）は、図６（ａ）中のＶＩＩＩＢ−ＶＩＩＩＢ断面による横断面図である。なお、図示煩雑防止のため、図４では、上記蓋部材３４及び支持部材２２の図示を省略しエアバッグ１４の構造を簡素化して示し、図５〜図８では、リテーナ１６の本体部２６のみを示している。
【００３２】
これら図４、図５（ａ）、図５（ｂ）、図６（ａ）、図６（ｂ）、図７（ａ）、図７（ｂ）、図８（ａ）、及び図８（ｂ）において、助手席用エアバッグ装置１２は、上述したように、上記エアバッグ１４と、上記リテーナ１６と、上記アーム部材１８と、上記インフレータ２０と、上記支持部材２２（図１〜図３を参照）とを有している。
【００３３】
エアバッグ１４は、図４に示すように、後述の押えリング３８を介してリテーナ１６に固定される。
【００３４】
リテーナ１６は、上述したように、上記底面２６ａ及び側壁面２６ｂを備えた本体部２６とフック２８とを有しており、例えば一枚の板金からいわゆる押し出し成形の手法により製造される。そして、上記本体部２６及びフック２８は、上記押し出し成形において略同一の厚さで一体に形成される。リテーナ１６の押し出し成形の手法による製造工程については、後述の図９及び図１０で説明する。
【００３５】
フック２８は、本体部２６に設けられた開口３０のうち上記車両前後方向（言い換えれば、後述のフランジ部２６ｄの上記車両前後方向）の周縁部から側外方へ向かって設けられている。また、このフック２８には、外周側が凹形状でかつ内周側が凸形状である、強度補強用のリブ２８ａ（第１リブ部。以下適宜、「第１リブ２８ａ」と称する）が、当該フック２８の突出する方向に沿って設けられている。本体部２６には、側壁面２６ｂの内側が凹形状かつ側壁面２６ｂの外側が凸形状である、上記第１リブ２８ａと連続するように形成されたリブ２６ｃ（第２リブ部。以下適宜、「第２リブ２６ｃ」と称する）が設けられている。したがって、これら第１リブ２８ａ及び第２リブ２６ｃは、フック２８から本体部２６にかけて長い寸法で一体的に設けられる。
【００３６】
また、本体部２６は、上記側壁面２６ｂの全周にわたる高さ方向寸法が同一の寸法（図示の例では寸法Ｈ）である。本体部２６の上記側壁面２６ｂの全周の上端部（言い換えれば、開口３０の周縁部）には、端部側へ拡がる形状のフランジ部２６ｄが設けられている。また、図５（ａ）及び図５（ｂ）に示すように、本体部２６の底面２６ａの中央部には、インフレータ２０をエアバッグ１４の内部に案内するための開口部３２が形成されている。この開口部３２の周囲には、複数のボルト孔３６が設けられている。
【００３７】
一方、インフレータ２０は、その側周面に複数のガス噴出口２０ａが設けられている。このインフレータ２０の側周面（上記ガス噴出口２０ａよりも下側）からは、固定用のフランジ２０ｂが設けられている（図２（ｂ）、図３（ａ）、及び図３（ｂ）も参照）。このフランジ２０ｂには、複数のボルト孔２０ｃが設けられている。このインフレータ２０は、先端側（上側）が上記開口部３２に装着される。
【００３８】
また、押えリング３８は、エアバッグ１４をリテーナ１６に固定するための部材である。押えリング３８の中央部には、インフレータ２０をエアバッグ１４の内部に案内するための開口部３８ａが形成されている。この開口部３８ａの周囲には、複数のボルト孔（図示せず）が設けられており、各ボルト孔にはボルト３８ｂが挿通される（あるいは押えリング３８がボルト３８ｂを一体的に備えていてもよい）。このボルト３８ｂは、リテーナ１６のボルト孔３６及びインフレータ２０のボルト孔２０ｃの順に挿入された後、最終的にナット３８ｃにより締結される（図２（ｂ）、図３（ａ）、及び図３（ｂ）も参照）。
【００３９】
以上のような構成の助手席用エアバッグ装置１２は、上記ボルト３８ｂ及びアーム部材１８によりインストルメントパネル１０（図１参照）の内部に固定され設置される。
【００４０】
図９及び図１０は、リテーナ１６の押し出し成形の手法による製造工程の一例を模式的に表す図である。なお、これら図９及び図１０では、図示煩雑防止のため、それぞれの形状を簡素化して図示し、図９（ａ）、図９（ｂ）、図１０（ａ）、及び図１０（ｂ）の順の時系列変化で各工程を表している。
【００４１】
これら図９（ａ）、図９（ｂ）、図１０（ａ）、及び図１０（ｂ）に示す例では、リテーナ１６は、一枚の板金から、せん断、絞り、トリム、曲げ、孔明け等を利用したプレス加工を伴う押し出し成形により製造されている。押し出し成形とは、寸法の長い材料を押し出すことにより、同一の形状の製品を連続的に成形する加工法である。
【００４２】
すなわち、まず図９（ａ）に示すように、せん断加工により、リテーナ１６を製造するための材料となる所定の板金Ｐ０を、所定の大きさにせん断する。その後、図９（ｂ）に示すように、上記所定の大きさにせん断された板金Ｐ０に所定の金型を用いた絞り加工を行うことにより、略四角枠形状の上記側壁面２６ｂと、略四角形の上記底面２６ａとを備えた本体部２６を形成する。なお、図示はされていないが、本体部２６の上側（図９及び図１０中では、本体部２６の下面側が上である）には、前述の開口３０（図４及び図５等参照）が形成されている。このように絞り加工を用いることにより、箱型形状で継ぎ目のない本体部２６を成形することができる。また、この絞り加工では同時に、本体部２６の所定の部分、及び、後にフック２８として形成される所定の部分に、連続するように前述の第２リブ２６ｃ及び第１リブ２８ａを形成する。
【００４３】
そして、図１０（ａ）に示すように、上記形成された本体部２６の開口３０の周りを、トリム加工により所定の形状にする。これにより、上記側壁面２６ｂの全周の上端部、言い換えれば、上記開口３０の全周に連続するようにフランジ部２６ｄを形成するとともに、フック２８を形成する。なお、この時点では、フランジ部２６ｄは前述のような端部側へ十分に拡がった形状となっておらず、またフック２８は前述のような鉤型の形状とはなっていない。このようにして形成された上記本体部２６及びフック２８は、略同一の厚さで一体に構成されている。
【００４４】
その後、図１０（ｂ）に示すように、上記形成されたフランジ部２６ｄを、曲げ加工により、本体部２６の開口３０の縁部から外方へ曲げることにより、端部側へ拡がった形状とする。さらに、上記形成されたフック２８を、曲げ加工により、本体部２６の側面外側に曲げることにより鉤型の形状とする。また、孔開け加工により、本体部２６の下面（底面）の中央部に、開口部３２を形成するとともに、この開口部３２の周囲に、複数のボルト孔３６を形成する。そして、適宜、シェービング加工等を行えば、前述の図４〜図８等で説明したリテーナ１６となる。
【００４５】
以上説明した構成である本実施形態の助手席用エアバッグ装置１２によれば、以下の効果が得られる。
【００４６】
すなわち、本実施形態においては、折り畳まれた状態のエアバッグ１４を収納したリテーナ１６が、インストルメントパネル１０の内部に収納されている。このリテーナ１６には、本体部２６及びフック２８が設けられており、これら本体部２６及びフック２８は、上述したような押し出し成形により略同一の厚さで一体に構成される。これにより、溶接によって複数の別部材を連結して本体部２６を形成したり、本体部２６に別部材を連結してフック２８を形成したりする場合に比べ、リテーナ１６の軽量化を図ることができる。また、連結のための溶接が不要となるので、リテーナ１６の強度を高めるとともに、製造工程の簡素化やコストの削減をも図ることができる。また、フック２８に強度補強用の第１リブ２８ａを設けることにより、フック２８の強度を高めることができる。この結果、上記のように一体成形とした場合でも、フック２８の強度が不足しないようにすることができる。また、本体部２６及びフック２８を同一の厚さとすることにより、リテーナ１６全体での剛性の偏りを減少させることができ、リテーナ１６の強度を高めるがことできる。
【００４７】
さらに、エアバッグ１４が膨張して展開する時においては、膨張したエアバッグ１４が本体部２６を内部から外部へ向って押し広げようとする応力が働くことで、本体部２６の開口３０の変形（いわゆるフィッシュマウス）を起こす可能性がある。特に本体部２６の高さ方向寸法が大きい程、上記応力の影響を受けやすく、上記フィッシュマウスを起こしやすい傾向にある。
【００４８】
本実施形態においては、本体部２６及びフック２８を略同一の厚さで一体に構成することにより、上述したようにリテーナ１６の強度を高めるとともに、さらにエアバッグ１４が膨張して展開する時における上記応力を分散させることができ、上記フィッシュマウスを軽減することができる。また、前述したような押し出し成形の手法を用いることにより、本体部２６の高さ方向寸法が小さくなるように本体部２６を成形することができる。したがって、エアバッグ１４の展開時の上記フィッシュマウスをさらに軽減することができる。これらの結果、膨張して展開したエアバッグ１４を新たなエアバッグに交換する際に、膨張して展開したエアバッグ１４を備えるリテーナ１６が、インストルメントパネル１０の内部から取り出しにくくなる、又は、インストルメントパネル１０の内部から取り出せず当該インストルメントパネル１０ごと交換しなければならなくなる、といった問題を回避し、工数を軽減することができる。
【００４９】
また、本実施形態では特に、前述したような押し出し成形により一体に構成される本体部２６の側壁面２６ｂの上端部にフランジ部２６ｄを設けることにより、上記開口３０の全周に連続するようにフランジ部２６ｄを設けることができる。
【００５０】
また、本実施形態では特に、フック２８の第１リブ２８ａは、当該フック２８の突出する方向に沿って延びている。また、本体部２６は、フック２８の上記第１リブ２８ａと連続するように形成された第２リブ２６ｃを備えている。このような長い寸法の一体構造のリブを設けることにより、リテーナ１６の強度をさらに高めることができる。
【００５１】
また、本実施形態では特に、本体部２６は、上記側壁面２６ｂの全周にわたり、同一の高さ方向寸法を備えている。これにより、本体部２６の剛性の偏りを減少させることができる。この結果、リテーナ１６の強度を高めることができる。
【００５２】
なお、上述の実施形態は本発明の好適な形態の一例ではあるが、これに限定されるものではなく、本発明の要旨を逸脱しない範囲において種々変形実施可能である。
【符号の説明】
【００５３】
１０          インストルメントパネル（パネル）
１２          助手席用エアバッグ装置
１４          エアバッグ
１６          リテーナ
１８          アーム部材
２０          インフレータ（ガス発生器）
２２          支持部材
２４          フック孔（貫通孔）
２６          本体部
２６ａ        底面
２６ｂ        側壁面
２６ｃ        第２リブ（第２リブ部）
２６ｄ        フランジ部
２８          フック（爪部材）
２８ａ        第１リブ（第１リブ部）
Ｍ            乗員
【図１】
0005749431.tif 000002
【図２】
0005749431.tif 000003
【図３】
0005749431.tif 000004
【図４】
0005749431.tif 000005
【図５】
0005749431.tif 000006
【図６】
0005749431.tif 000007
【図７】
0005749431.tif 000008
【図８】
0005749431.tif 000009
【図９】
0005749431.tif 000010
【図１０】
0005749431.tif 000011